(57)【要約】【課題】環状装身具と実質的に一体化した植物を提供する。【解決手段】花茎に環状装身具を抜去不可能に嵌合する。【選択図】        図１
2005040049.tif 000002
【特許請求の範囲】
【請求項１】
花茎に環状装身具を抜去不可能に嵌合したことを特徴とする装身具付き植物。
【請求項２】
環状装身具の上下方向において、花茎から枝が伸長しているか、あるいは花が咲いていることにより、環状装身具が花茎の上下の方向に抜去できないようになっていることを特徴とする請求項１記載の装身具付き植物。
【請求項３】
環状装身具が指輪である請求項１または２記載の装身具付き植物。
【請求項４】
環状装身具がペンダントヘッドを吊支する保持環である請求項１または２記載の装身具付き植物。
【請求項５】
植物が木本系である請求項１〜４のいずれかに記載の装身具付き植物。
【請求項６】
植物が草本系である請求項１〜４のいずれかに記載の装身具付き植物。
【請求項７】
環状装身具が磁性を有することを特徴とする請求項１〜６のいずれかに記載の装身具付き植物。
【請求項８】
開花する前の植物の花芽と節の間において、花茎に環状装身具を嵌合した後、植物を管理育成して、花を咲かせるとともに、前記節から枝を伸長させることにより、前記環状装身具を、花茎に抜去不可能に嵌合保持させることを特徴とする装身具付き植物の製造方法。
【発明の詳細な説明】
【０００１】
【発明の属する技術分野】
本発明は、木本系あるいは草本系の花茎に装身具と実質的に一体化した装身具付き植物、およびその製造方法に関する。
【０００２】
古来、ある種のメッセージを込めて、指輪やペンダントや花を贈る風習は一般的であり、生活に潤いをもたらしている。
【０００３】
しかし、指輪やペンダント等を贈る際に、それに花を添えるということは、必ずしも一般的ではない。その理由は、指輪やペンダント等は、もらった相手を驚愕させ、喜ばせるのに十分な非日常的な物であるのに対し、花は、何時でも安価に買うことが出来る、余りにも日常的な物であって、脇役的になってしまうからである。
【０００４】
また例えば、結婚３０周年の真珠婚式に、相手を尊敬する念を込めて、白いバラを添えて真珠を贈れば、真珠の宝石言葉である「富みと健康」及び「長寿」に、白いばらの花言葉の「尊敬」が重なって、「富みと健康」及び「長寿」を喜び、かつ互いに「尊敬」する気持ちが醸し出されることが期待されるところである。
【０００５】
然し、この場合、真珠の指輪に、単に白い切りバラを添えて贈ったのでは、贈られた方は、より深いメッッセージをもっている真珠の指輪の方に強く心が引かれ、白いバラの意味が理解されないおそれがある。それは、白いばらは、余りにも日常的な物であるからである。したがって、この場合、真珠の指輪と白いばらは、どうしても一体として贈ることが必要となる。
【０００６】
【発明が解決しようとする課題】
従って、発明が解決しようとする主たる課題は、指輪その他の環状装身具を贈るに当たって、単に切り花等を環状装身具に添えて贈るのではなく、環状装身具と花等の植物を、一体にして贈りうるようにした装身具付き植物と、その製造方法を提供することである。
【０００７】
【課題を解決する手段】
本発明によると、上記課題は、次のように構成した装身具付き植物によって解決される。
（１）  花茎に環状装身具を抜去不可能に嵌合する。
【０００８】
（２）  上記（１）項において、環状装身具の上下方向において、花茎から枝が伸長しているか、あるいは花が咲いていることにより、環状装身具が花茎の上下の方向に抜去できないようになっている。
【０００９】
（３）  上記（１）または（２）項において、環状装身具が指輪である。
【００１０】
（４）  上記（１）または（２）項において、環状装身具がペンダントヘッドを吊支する保持環である。
【００１１】
（５）  上記（１）〜（４）項のいずれかにおいて、植物が木本系である。
【００１２】
（６）  上記（１）〜（４）項のいずれかにおいて、植物が草本系である。
【００１３】
（７）  上記（１）〜（６）項のいずれかにおいて、環状装身具が磁性を有するものとする。
【００１４】
また、本発明の装身具付き植物の製造方法は、開花する前の植物の花芽と節の間において、花茎に環状装身具を嵌合した後、植物を管理育成して、花を咲かせるとともに、前記節から枝を伸長させることにより、前記環状装身具を、花茎に抜去不可能に嵌合保持させることを特徴とするものである。
【００１５】
なお、本発明において使用する用語「環状装身具」とは、指輪、ブレスレット、アンクレット等、環状空洞部を有する装身具、並びにペンダントヘッド等を吊支した保持環を言う。
【００１６】
本発明における用語「木本」とは、繊維束の木部がよく発達した硬い丈夫な多年生の植物を言い、バラ、アカシヤ、アジサイ、アベリヤ、ウツギ、ウメ、エニシダ、エリカ、オオデマリ、カイドウ、カルミヤ、クチナシ、コブシ、サクラ、ザクロ、ロードデントロン、スイカズラ、セイヨウサンザシ、アザレア、ツバキ、ハナミズク、ノウゼンカズラ、モクレン、ライラック等、花が咲く木本であれば、特段に限定されない。
【００１７】
本発明における用語「草本」とは、繊維束が余り発達せず、多肉で、柔らかく、多奨で、木部をなさない植物を言い、デルフィニウム、アイリス、ボタン、シャクヤク、キク、カーネーション、ラン類等多年草、グラジオラス類、ユリ類、ダリア類、チューリップ類、水仙類、クロッカス類、ヒアシンス類等球根類、スイレン類その他の水生植物等、花が咲く草本であれば、特段に限定されない。
【００１８】
本発明における用語「節」とは、茎で葉のつく個所、または枝が突出する個所を言う。
【００１９】
本発明によると、たとえば、木本の代表としてバラの花茎に指輪等が嵌入されていて、指輪等の下方向および上方向の花茎から、枝または葉が伸長しているか、あるいは花が咲いていて、指輪等が花茎の上下の方向に抜去できないようになっている、装身具付き植物が提供される。
【００２０】
このような構造の花茎と一体になった環状装身具を備える植物を贈られた人は、それを見て先ずは驚愕し、その後、環状装身具を痛めることなく、長期に亘って花が育てられてきたことに感動し、贈った人と、贈られた人の間において、この環状装身具を備える植物が贈られた意味が増幅されることとなる。
【００２１】
本発明を実施する場合、環状装身具を植物に取り付けたまま、例えば少なくとも半年間、植物を生育させると同じ条件下におかれることになる。即ち、この間、本発明の環状装身具付き植物は、施肥、水遣り、殺虫剤・殺菌剤の散布、紫外線や風雨への暴露等、過酷な条件下にさらされる。
【００２２】
したがって、環状装身具をこれらの過酷な条件から保護しなければならない。環状装身具をこれらの過酷な環境から保護するには、引張強さ、伸び、破断強さ、引裂強さ等物理的強さ、防水性、紫外線吸収性等、バリヤー性、耐水性、耐熱性、耐候性、耐有機溶剤性、耐油脂性、耐薬品性等安定性、作業性、利便性、経済性等に優れたフィルムで完全密閉包装する。これらのフィルムとしては、ポリ塩化ビニルフィルム、ポリエチレンフィルム、ポリプロピレンフィルム、ポリスチレンフィルム、ポリ塩化ビニリデンフィルム、ポリエステルフィルム、ポリエチレンラミネートフィルム等のラミネートフィルムが例示される。包装方法としては、真空包装、熱収縮包装、加熱包装等が例示される。
【００２３】
本発明を、前年枝の頂芽及び３〜４芽が花芽になり、そこから伸長した新梢の先に花を付ける木本、たとえばボタン、キンシバ、ムクゲ等に対して実施する場合、花芽がはっきりする１０月以降２月ごろまでに剪定して、花芽と花芽の間に環状装身具を嵌入して、任意の手段で仮止めする。
【００２４】
本発明を、今年伸びた新梢の先に花をつける木本、たとえばバラ、サルスベリ等に対して実施する場合、活動が衰えた晩秋から冬季にかけて剪定して、花芽と花芽の間に環状装身具を嵌入して、任意の手段で仮止めする。ただし、バラは花の終わった直後、花がらを摘む程度の軽い剪定を行うのが好ましい。
【００２５】
本発明を、頂芽とその下の側芽が花芽となる木本、たとえばレンギョウ、フジ、ハナミズキ、ライラック等に対して実施する場合、花が終わった直後に剪定して、花芽と花芽の間に環状装身具を嵌入し、任意の手段で仮止めする。ただし、フジの場合には、花の直後より、花芽のはっきり分かる冬季に剪定することが好ましい。
【００２６】
本発明を、側芽が花芽となる木本、たとえばウメ、サクラ、ボケ、ロウバイ等に対して実施する場合、花が終わった直後に剪定して、花芽と花芽の間に環状装身具を嵌入して、任意の手段で仮止めする。
【００２７】
【発明の実施の形態１】
以下、図示の実施例を参照して、本発明を具体的に説明する。
図１は、本発明により、環状装身具としての指輪を取付けたバラを示し、花（１）と、最上位の枝（２）との間において、花茎（３）に指輪（４）が、上下いずれの方向にも抜去できないようにして嵌合されている。
【００２８】
指輪（４）は、花（１）が開花する前でその径が小さい中に、最上位の枝（２）の節（５）との間において花茎（３）に嵌合され、指輪（４）を適宜花茎（３）に保持した状態で、このバラを管理育成する。
【００２９】
このバラが生長して、花（１）が咲き、かつ節（５）より枝（２）が伸び出すと、指輪（４）は、上下いずれの方向へも花茎（３）から抜去できないようになる。
【００３０】
図２は、環状装身具として、ペンダントヘッド（６）をチェーン（７）で吊支している保持環（８）を、図１におけると同様に、花茎（３）に抜け外し不能に嵌合した状態を示す。
その他の符号の示すところは図１と同様である。
指輪（４）もしくはペンダントヘッド（６）を、身に付けて使用したい場合には、花（１）を切って、花茎（３）から抜き外せばよい。
【００３１】
【発明の実施の形態２】
［赤いチューリップを使用した例］
若い男性がバレンタインデーに１８金のファッションリングを恋人に贈ることにした。先ず、ファッションリングを不透明のポリ塩化ビニルフィルムで熱収縮包装して全体をコーティングした。
【００３２】
チューリップは、朱色に近い鮮やかな赤色の「ディプロメイト」を使用した。因みに、赤いチューリップの花言葉は、「愛の告白」である。
【００３３】
１０月中旬、赤玉土大粒１、赤玉土中粒５，鹿沼土中粒１，腐葉土３の混合土に苦土石灰を１ｌ当たり３ｇ混ぜた用土を５号鉢に入れた。ここに球根１個を植え付けた。
【００３４】
施肥、水やり、殺虫・殺菌等管理を完全に行って、主花茎が出るのを注意深く観察した。３月主花茎が伸び出したので、主花茎の先端から指輪を嵌入して、固定した。４月には、主花芽に１個の花が咲いた。指輪は、再上端の葉に支えられている状態であった。
【００３５】
鉢植えのまま、１８金のファッションリングを保護していたポリ塩化ビニルフィルムを剥がしたところ、ファッションリングは全く損傷をうけていなかった。チューリップの朱色に１８金の金色が映え若々しい雰囲気を醸し出していた。
【００３６】
【発明の実施の形態３】
［カトレヤを使用した例］
若い男性がバレンタインデーに１８金のファッションリングを恋人に贈ることにした。先ず、ファッションリングを不透明のポリ塩化ビニルフィルムで熱収縮包装して全体をコーティングした。
【００３７】
カトレヤは、白弁赤リップ系のステファン・オリバー・フォーレイカー”リリアン・ウィルソン”を使用した。因みに、カトレヤの花言葉は、「あなたは美しい」である。
【００３８】
カトレヤを栽培するように完全管理ができる専用の温室内で、所定の方法で株を植え付け、管理した。バルブから花茎が発生するのを注意深く観察した。花茎が約３ｃｍ程度伸びたので、花茎に指輪を嵌めて、布で固定した。春になって白弁赤リップの大輪の花を４輪咲かせた。指輪の下には１葉の葉が伸長していて、それにより指輪は固定されていた。
【００３９】
鉢植えのまま、１８金のファッションリングを保護していたポリ塩化ビニルフィルムを剥がしたところ、ファッションリングは全く損傷をうけていなかった。白弁赤リップの大輪の花の直下で１８金の金色が映え若々しい雰囲気を醸し出していた。
【００４０】
【発明の効果】
請求項１または２記載の発明によると、環状装身具が植物の花茎に脱着不可能に嵌入されているので、環状装身具と花が同時に商取引の対象になる。また、環状装身具に宝石が付けてある場合には、誕生石、宝石言葉、花言葉、誕生花、それぞれがもつメッセージ、あるいは花の色と宝石の色とを多様に組み合わせることにより、贈った人と、贈られた人との間に、花あるいは環状装身具を単独で贈った場合とは違った印象が創生され、花にも環状装身具にも、従来とは違った価値観が生まれる。
【００４１】
請求項３および４記載の発明によると、指輪その他の装身具を、植物とともに、抵抗感少なく贈呈することができ、しかも植物を手入れしたり観賞したりする都度、装身具も眼にとまるので、長期に亘って贈呈者の印象を残すことができる。
【００４２】
請求項５、６記載の発明によると、それぞれ、木本系および草本系の見栄えを良くし、その商品価値を高めることができる。
【００４３】
請求項７記載の発明によると、植物の生長に好影響がもたらされる。
【００４４】
請求項８記載の発明によると、植物の生長に伴い、環状装身具は、植物の所要の個所に、抜去できないように自動的に係止保持される。
【図面の簡単な説明】
【図１】環状装身具が指輪である本発明の装身具付き植物の一例を示す斜視図である。
【図２】環状装身具がペンダントを吊支する保持環である本発明の一例を示す斜視図である。
【符号の説明】
（１）花
（２）枝
（３）花茎
（４）指輪
（５）節
（６）ペンダントヘッド
（７）チェーン
（８）保持環
【図１】
2005040049.tif 000003
【図２】
2005040049.tif 000004